(57)【特許請求の範囲】
【請求項１】
電磁流量計の検出器から入力される流量信号を増幅する増幅回路と、
この増幅回路によって増幅された流量信号をデジタル信号に変換するＡＤコンバータと、
このＡＤコンバータの出力値を流速値に変換する流速算出手段と、
校正モード時に疑似流量信号を生成する疑似流量信号生成手段と、
前記疑似流量信号を外部の電圧計に出力するための信号出力端子と、
通常モード時に前記検出器からの流量信号を前記増幅回路に入力し、前記校正モード時に前記疑似流量信号生成手段からの疑似流量信号を前記増幅回路に入力する選択手段と、
前記校正モード時に前記電圧計によって計測された疑似流量信号の電圧値と前記疑似流量信号の入力によって得られた前記ＡＤコンバータの出力値とを用いて、前記流速算出手段のゼロ調整、ゲイン調整を行う校正手段とを備えることを特徴とする電磁流量計の変換器。
【請求項２】
請求項１記載の電磁流量計の変換器において、
前記疑似流量信号生成手段は、
前記疑似流量信号のデジタル値を出力する疑似流量信号出力手段と、
この疑似流量信号のデジタル値をアナログ信号に変換するＤＡコンバータと、
このＤＡコンバータの出力信号を降圧する降圧回路とから構成されることを特徴とする電磁流量計の変換器。
【請求項３】
請求項１または２記載の電磁流量計の変換器において、
前記疑似流量信号生成手段は、前記校正モード時に、対応する流速値が異なる複数の疑似流量信号を順次生成し、
前記校正手段は、前記複数の疑似流量信号の電圧値と疑似流量信号毎のＡＤコンバータの出力値とを用いて、ＡＤコンバータの出力値と流速値との関係を示す式を求め、前記流速算出手段のゼロ調整、ゲイン調整を行うことを特徴とする電磁流量計の変換器。
【請求項４】
請求項２記載の電磁流量計の変換器において、
前記疑似流量信号出力手段は、直線性確認モード時に、前記疑似流量信号のデジタル値を直線的に変化させることを特徴とする電磁流量計の変換器。
【請求項５】
請求項２記載の電磁流量計の変換器において、
さらに、前記校正モード時に出力された前記疑似流量信号のデジタル値と前記ＡＤコンバータの出力値とを記憶し、診断モード時に、前記記憶している疑似流量信号のデジタル値を前記疑似流量信号出力手段から出力させ、このときに得られる前記ＡＤコンバータの出力値に基づいて前記増幅回路と前記ＡＤコンバータと前記ＤＡコンバータの特性に変化があるか否かを診断する診断手段を備えることを特徴とする電磁流量計の変換器。
【請求項６】
電磁流量計の検出器から入力される流量信号を増幅する増幅回路と、この増幅回路によって増幅された流量信号をデジタル信号に変換するＡＤコンバータと、このＡＤコンバータの出力値を流速値に変換する流速算出手段とを備えた電磁流量計の変換器を校正する校正方法において、
校正モード時に疑似流量信号を生成して、前記検出器からの流量信号の代わりに前記疑似流量信号を前記増幅回路に入力する疑似流量信号生成ステップと、
前記疑似流量信号の電圧値を外部の電圧計で計測する計測ステップと、
前記校正モード時に前記電圧計によって計測された疑似流量信号の電圧値と前記疑似流量信号の入力によって得られた前記ＡＤコンバータの出力値とを用いて、前記流速算出手段のゼロ調整、ゲイン調整を行う校正ステップとを含むことを特徴とする電磁流量計の校正方法。
【請求項７】
請求項６記載の電磁流量計の校正方法において、
前記疑似流量信号生成ステップは、
前記疑似流量信号のデジタル値を出力する疑似流量信号出力ステップと、
この疑似流量信号のデジタル値をＤＡコンバータでアナログ信号に変換するＤＡ変換ステップと、
前記ＤＡコンバータの出力信号を降圧回路で降圧する降圧ステップとを含むことを特徴とする電磁流量計の校正方法。
【請求項８】
請求項６または７記載の電磁流量計の校正方法において、
前記疑似流量信号生成ステップは、前記校正モード時に、対応する流速値が異なる複数の疑似流量信号を順次生成し、
前記校正ステップは、前記複数の疑似流量信号の電圧値と疑似流量信号毎のＡＤコンバータの出力値とを用いて、ＡＤコンバータの出力値と流速値との関係を示す式を求め、前記流速算出手段のゼロ調整、ゲイン調整を行うことを特徴とする電磁流量計の校正方法。
【請求項９】
請求項７記載の電磁流量計の校正方法において、
さらに、直線性確認モード時に、前記疑似流量信号のデジタル値を直線的に変化させる直線性確認ステップを含むことを特徴とする電磁流量計の校正方法。
【請求項１０】
請求項７記載の電磁流量計の校正方法において、
さらに、前記校正モード時に出力された前記疑似流量信号のデジタル値と前記ＡＤコンバータの出力値とを記憶する記憶ステップと、
診断モード時に、前記記憶している疑似流量信号のデジタル値を出力させて、このときに得られる前記ＡＤコンバータの出力値に基づいて前記増幅回路と前記ＡＤコンバータと前記ＤＡコンバータの特性に変化があるか否かを診断する診断ステップとを含むことを特徴とする電磁流量計の校正方法。
【発明の詳細な説明】
【技術分野】
【０００１】
本発明は、電磁流量計の変換器を校正する技術に関するものである。
【背景技術】
【０００２】
電磁流量計の性能のバラつきの原因として、電磁流量計の変換器に使用される電子回路のバラつきがあり、具体的にはオペアンプやＡＤコンバータの特性のバラつきがある。従来は、図６に示すように、電磁流量計の検出器１の代わりに、キャリブレータ３を変換器２に接続し、検出器１からの流量信号（起電力）と同等の基準流量信号（例えば流速１０ｍ／ｓ、２．５ｍ／ｓ、０ｍ／ｓに対応する電圧）をキャリブレータ３から変換器２に入力することで、変換器２を校正するようにしていた（特許文献１参照）。
【先行技術文献】
【特許文献】
【０００３】
【特許文献１】特開平７−１４６１６５号公報
【発明の概要】
【発明が解決しようとする課題】
【０００４】
以上のように、従来の電磁流量計の校正作業には機種ごとに正確な信号電圧を発生させるキャリブレータを用意して現場に持っていかなければならないのとこのキャリブレータ自身の校正も必要になるため手間がかかった。
【０００５】
本発明は、上記課題を解決するためになされたもので、校正作業に要する手間を低減することができ、キャリブレータのような特殊な機器がなくても電磁流量計の変換器および電磁流量計の校正ができることを目的とする。
【課題を解決するための手段】
【０００６】
本発明の電磁流量計の変換器は、電磁流量計の検出器から入力される流量信号を増幅する増幅回路と、この増幅回路によって増幅された流量信号をデジタル信号に変換するＡＤコンバータと、このＡＤコンバータの出力値を流速値に変換する流速算出手段と、校正モード時に疑似流量信号を生成する疑似流量信号生成手段と、前記疑似流量信号を外部の電圧計に出力するための信号出力端子と、通常モード時に前記検出器からの流量信号を前記増幅回路に入力し、前記校正モード時に前記疑似流量信号生成手段からの疑似流量信号を前記増幅回路に入力する選択手段と、前記校正モード時に前記電圧計によって計測された疑似流量信号の電圧値と前記疑似流量信号の入力によって得られた前記ＡＤコンバータの出力値とを用いて、前記流速算出手段のゼロ調整、ゲイン調整を行う校正手段とを備えることを特徴とするものである。
また、本発明の電磁流量計の変換器の１構成例において、前記疑似流量信号生成手段は、前記疑似流量信号のデジタル値を出力する疑似流量信号出力手段と、この疑似流量信号のデジタル値をアナログ信号に変換するＤＡコンバータと、このＤＡコンバータの出力信号を降圧する降圧回路とから構成されることを特徴とするものである。
【０００７】
また、本発明の電磁流量計の変換器の１構成例において、前記疑似流量信号生成手段は、前記校正モード時に、対応する流速値が異なる複数の疑似流量信号を順次生成し、前記校正手段は、前記複数の疑似流量信号の電圧値と疑似流量信号毎のＡＤコンバータの出力値とを用いて、ＡＤコンバータの出力値と流速値との関係を示す式を求め、前記流速算出手段のゼロ調整、ゲイン調整を行うことを特徴とするものである。
また、本発明の電磁流量計の変換器の１構成例において、前記疑似流量信号出力手段は、直線性確認モード時に、前記疑似流量信号のデジタル値を直線的に変化させることを特徴とするものである。
また、本発明の電磁流量計の変換器の１構成例は、さらに、前記校正モード時に出力された前記疑似流量信号のデジタル値と前記ＡＤコンバータの出力値とを記憶し、診断モード時に、前記記憶している疑似流量信号のデジタル値を前記疑似流量信号出力手段から出力させ、このときに得られる前記ＡＤコンバータの出力値に基づいて前記増幅回路と前記ＡＤコンバータと前記ＤＡコンバータの特性に変化があるか否かを診断する診断手段を備えることを特徴とするものである。
【０００８】
また、本発明は、電磁流量計の検出器から入力される流量信号を増幅する増幅回路と、この増幅回路によって増幅された流量信号をデジタル信号に変換するＡＤコンバータと、このＡＤコンバータの出力値を流速値に変換する流速算出手段とを備えた電磁流量計の変換器を校正する校正方法において、校正モード時に疑似流量信号を生成して、前記検出器からの流量信号の代わりに前記疑似流量信号を前記増幅回路に入力する疑似流量信号生成ステップと、前記疑似流量信号の電圧値を外部の電圧計で計測する計測ステップと、前記校正モード時に前記電圧計によって計測された疑似流量信号の電圧値と前記疑似流量信号の入力によって得られた前記ＡＤコンバータの出力値とを用いて、前記流速算出手段のゼロ調整、ゲイン調整を行う校正ステップとを含むことを特徴とするものである。
【発明の効果】
【０００９】
本発明によれば、キャリブレータを使用することなく、電磁流量計の校正を変換器だけで行うことができるので、キャリブレータを開発しなくても良いのと校正作業に要する手間や準備を低減することができる。電圧計は電磁流量計の校正作業では以前から使用されている計測機器なので、電圧計を校正作業のために改めて用意する必要はない。
【００１０】
また、本発明では、直線性確認モード時に、疑似流量信号のデジタル値を直線的に変化させることにより、変換器の直線性を確認することができる。
【００１１】
また、本発明では、診断手段を設けることにより、変換器の電子回路（増幅回路とＡＤコンバータとＤＡコンバータ）の特性に変化があるか否かを診断することができる。
【図面の簡単な説明】
【００１２】
【図１】本発明の実施の形態に係る電磁流量計の校正方法の概要を説明する図である。
【図２】本発明の実施の形態に係る電磁流量計の校正方法を説明するブロック図である。
【図３】電磁流量計の各部の信号波形を示す図である。
【図４】本発明の実施の形態に係る電磁流量計の変換器のＣＰＵの機能ブロック図である。
【図５】本発明の実施の形態に係る電磁流量計の校正方法を説明するフローチャートである。
【図６】電磁流量計の従来の校正方法を説明する図である。
【発明を実施するための形態】
【００１３】
以下、本発明の実施の形態について図面を参照して説明する。図１は本発明の実施の形態に係る電磁流量計の校正方法の概要を説明する図である。本実施の形態では、検出器１からの流量信号（起電力）に相当する疑似流量信号を変換器２ａ内部で発生させ、発生させた流量信号の電圧を電圧計４で測り、読み値を変換器２ａに入力することで変換器２ａの校正を行う。電圧計４としては、デジタルボルトメータあるいはデジタルマルチメータがある。
【００１４】
図２は本実施の形態に係る電磁流量計の校正方法を説明するブロック図である。電磁流量計の検出器１は、磁界を発生する励磁コイル１０と、励磁コイル１０から発生する磁界中に配置され、測定対象の流体がこの磁界中を流れることにより発生する起電力を検出してその流速に比例した流量信号を出力する測定管１１とから構成される。
【００１５】
通常の計測時には、変換器２ａは、検出器１の励磁コイル１０に図３（Ａ）に示すような励磁電流を供給し、検出器１から入力される図３（Ｂ）のような流量信号を流量値に変換する。本実施の形態の変換器２ａは、励磁電流を出力する励磁回路２０と、入力された流量信号を増幅する増幅回路２１と、増幅された流量信号を流速値に変換するＣＰＵ（Central Processing Unit）２２と、変換器２ａの設定や電磁流量計のユーザへの情報表示のための設定・表示器２３と、ＣＰＵ２２から出力される疑似流量信号を反転させる反転コンバータ２４と、ＣＰＵ２２から出力される疑似流量信号を降圧する降圧回路２５−１と、反転コンバータ２４から出力される疑似流量信号を降圧する降圧回路２５−２と、検出器１からの流量信号と降圧回路２５−１，２５−２からの疑似流量信号のうちいずれか一方を選択する選択回路２６−１，２６−２とから構成される。
【００１６】
励磁回路２０と増幅回路２１と設定・表示器２３とは、従来の変換器と同様の構成であるが、本実施の形態では、従来の変換器に反転コンバータ２４と降圧回路２５−１，２５−２と選択回路２６−１，２６−２と信号出力端子Ｄとグランド端子Ｆとを追加し、またＣＰＵ２２のプログラムを変更している。ＣＰＵ２２は、図４に示すように、ＤＡ（Digital-to-Analog）コンバータ２２０と、ＡＤ（Analog-to-Digital）コンバータ２２２と、記憶手段２２７とを有すると共に、疑似流量信号出力手段２２３と、流速算出手段２２４と、校正手段２２５と、制御手段２２６と、診断手段２２８とを構成している。疑似流量信号出力手段２２３とＤＡコンバータ２２０と反転コンバータ２４と降圧回路２５−１，２５−２とは、疑似流量信号生成手段を構成している。
【００１７】
以下、本実施の形態の動作について説明する。変換器２ａのＣＰＵ２２は、ＣＰＵ２２の内部に配置される記憶手段２２７に格納されたプログラムまたは外部に配置される記憶装置（不図示）に格納されたプログラムに従って疑似流量信号出力手段２２３、流速算出手段２２４、校正手段２２５、制御手段２２６、診断手段２２８として機能し、以下の処理を実行する。
【００１８】
通常の計測モード時には、変換器２ａの制御手段２２６は、選択回路２６−１，２６−２を制御して検出器１の出力を選択させる。これにより、検出器１からの流量信号が増幅回路２１に入力される。検出器１から変換器２ａに入力される流量信号はμＶオーダーの微小信号のため、増幅回路２１によって十分な電圧レベルまで増幅される。増幅された流量信号は、ＣＰＵ２２内のＡＤコンバータ２２２によってデジタル信号に変換される。流速算出手段２２４は、ＡＤコンバータ２２２の出力値を流速値に変換する。
【００１９】
次に、本実施の形態の校正方法を図５のフローチャートを用いて説明する。まず、校正作業者は、変換器２ａの信号出力端子Ｄと電圧計４のプラス端子とを接続すると共に、電圧計４のマイナス端子と変換器２ａのグランド端子Ｆとを接続する。例えば校正作業者が設定・表示器２３を用いて校正モードに設定すると、変換器２ａの制御手段２２６は、選択回路２６−１，２６−２を制御して降圧回路２５−１，２５−２の出力を選択させる（図５ステップＳ１００）。これにより、降圧回路２５−１，２５−２の出力が増幅回路２１に入力される。
【００２０】
次に、変換器２ａの疑似流量信号出力手段２２３は、疑似流量信号のデジタル値を出力する。この疑似流量信号のデジタル値は、ＣＰＵ２２内のＤＡコンバータ２２０によってアナログ電圧に変換され、さらに精密抵抗からなる降圧回路２５−１によって例えば１／６００分圧され、μＶオーダーの信号に降圧される。一方、反転コンバータ２４は、ＤＡコンバータ２２０から出力される疑似流量信号と絶対値が同じで極性が反転した信号を生成する。すなわち、ＤＡコンバータ２２０から出力される疑似流量信号が正電圧の信号であれば、負電圧の信号を生成し、ＤＡコンバータ２２０から出力される疑似流量信号が負電圧の信号であれば、正電圧の信号を生成する。反転コンバータ２４から出力される信号は、降圧回路２５−１と同じ構成の降圧回路２５−２によって１／６００分圧され、μＶオーダーの信号に降圧される。そして、降圧回路２５−１，２５−２の出力は、選択回路２６−１，２６−２を介して増幅回路２１に入力される。増幅回路２１によって増幅された疑似流量信号は、ＡＤコンバータ２２２によってデジタル信号に変換される（図５ステップＳ１０１）。
【００２１】
なお、検出器１から入力される流量信号は差動信号であり、これに応じて増幅回路２１も差動信号に対応した増幅回路となっている。また、検出器１は、図３（Ａ）、図３（Ｂ）から明らかなように、励磁電流が正極性のときに正極性の流量信号を出力し、励磁電流が負極性のときに負極性の流量信号を出力する。
【００２２】
したがって、増幅回路２１の構成に対応するため、疑似流量信号出力手段２２３が出力する疑似流量信号も極性が切り替わるようになっており、反転コンバータ２４と降圧回路２５−１，２５−２と選択回路２６−１，２６−２とは差動信号に対応した構成となっている。また、疑似流量信号出力手段２２３は、励磁電流が正極性のタイミングで正極性の疑似流量信号を生成し、励磁電流が負極性のタイミングで負極性の疑似流量信号を生成する。励磁電流の正極性／負極性の切り替えはＣＰＵ２２が行っているため疑似流量信号の極性切り替えも、このタイミングでＤＡのカウント値の符号を反転させて切り替える。
【００２３】
ＣＰＵ２２の記憶手段２２７は、ＡＤコンバータ２２２の出力値を記憶する（図５ステップＳ１０２）。
次に、疑似流量信号の極性切り替えを止めて、電圧計４は、疑似流量信号の降圧前のＤＡコンバータ２２０の出力電圧（信号出力端子Ｄの電圧）を計測する（図５ステップＳ１０３）。降圧回路２５−１，２５−２から出力される疑似流量信号は計測した電圧の数百分の１（例えば１／６００）倍となっている。校正作業者は、計測した電圧値をＣＰＵ２２に入力し、ＣＰＵ２２の記憶手段２２７は、入力された電圧値を記憶する（図５ステップＳ１０４）。この電圧値に降圧回路２５−１，２５−２の分圧比をかけて疑似流量信号の電圧に直す必要があるが、この処理はＣＰＵ２２の校正手段２２５が行う。なお、通常は電圧計４の読み値を校正作業者が設定・表示器２３を操作して手動で入力するが、電圧計４と変換器２ａに通信手段が付いている場合は通信で電圧計４の読み値を取り込んでもよい。
【００２４】
ＣＰＵ２２は、以上のような疑似流量信号の生成と取込を流速値を変えながら複数回行う。例えば流速１０ｍ／ｓ、２．５ｍ／ｓ、０ｍ／ｓに対応する３種類の疑似流量信号を生成するものとし、各疑似流量信号毎にステップＳ１０１〜Ｓ０４の処理を行う。
【００２５】
変換器２ａの校正手段２２５は、全ての疑似流量信号の生成と取込が完了すると（図５ステップＳ１０５において判定ＹＥＳ）、電圧計４によって計測された疑似流量信号の電圧値とＡＤコンバータ２２２の出力値Ｄとから、ＡＤコンバータ２２２の出力値Ｄと流体の流速値Ｓとの関係を示す式を求める（図５ステップＳ１０６）。
【００２６】
今、流速０ｍ／ｓに相当する疑似流量信号を電圧計４で計測した電圧値をＶ０、この流速０ｍ／ｓに相当する疑似流量信号を増幅回路２１に入力したときのＡＤコンバータ２２２の出力値をＤ０、流速２．５ｍ／ｓに相当する疑似流量信号を電圧計４で計測した電圧値をＶ２．５、この流速２．５ｍ／ｓに相当する疑似流量信号を増幅回路２１に入力したときのＡＤコンバータ２２２の出力値をＤ２．５、流速１０ｍ／ｓに相当する疑似流量信号を電圧計４で計測した電圧値をＶ１０、この流速１０ｍ／ｓに相当する疑似流量信号を増幅回路２１に入力したときのＡＤコンバータ２２２の出力値をＤ１０とすると、流速０ｍ／ｓに相当する疑似流量信号を増幅回路２１に入力したときに算出される流速値Ｓ０、流速２．５ｍ／ｓに相当する疑似流量信号を増幅回路２１に入力したときに算出される流速値Ｓ２．５、流速１０ｍ／ｓに相当する疑似流量信号を増幅回路２１に入力したときに算出される流速値Ｓ１０は以下のようになる。
Ｓ０＝Ｖ０×ｒ／Ｅ                                              ・・・（１）
Ｓ２．５＝Ｖ２．５×ｒ／Ｅ                                      ・・・（２）
Ｓ１０＝Ｖ１０×ｒ／Ｅ                                          ・・・（３）
【００２７】
ｒは降圧回路２５−１，２５−２の分圧比（例えば１／６００）、Ｅは検出器毎に決まっている１ｍ／ｓ当たりの起電力（誘導電圧）である。校正手段２２５は、（Ｄ０，Ｓ０）、（Ｄ２．５，Ｓ２．５）、（Ｄ１０，Ｓ１０）の３点を通る以下のような直線の式を最小２乗法で求める。Ａはゲイン、Ｂはオフセットである。
Ｓ＝Ａ×Ｄ＋Ｂ                                                  ・・・（４）
【００２８】
そして、校正手段２２５は、ステップＳ１０６で算出した調整値（Ａ，Ｂ）を記憶手段２２７に記憶させる（図５ステップＳ１０７）。以上で、流速算出手段２２４のゼロ調整、ゲイン調整が終了し、電磁流量計の校正が完了する。以後、流速算出手段２２４は、ステップＳ１０７で更新されたゲインＡとオフセットＢを用いて、式（４）によりＡＤコンバータ２２２の出力値Ｄから流速値Ｓを簡単に算出することができる。
【００２９】
なお、リニアリティを考えて（Ｄ０，Ｓ０）、（Ｄ２．５，Ｓ２．５）で決まる直線と（Ｄ２．５，Ｓ２．５）、（Ｄ１０，Ｓ１０）決まる直線の２直線で折れ線近似としてもよい。
【００３０】
本実施の形態では、キャリブレータを使用することなく、電磁流量計の校正を行うことができるので、校正作業に要するコストを低減することができる。本実施の形態では、疑似流量信号の電圧値を電圧計４で計測するため、変換器内部で生成する疑似流量信号は所望の流速値に対応する正確な値でなくてもよい。デジタルボルトメータあるいはデジタルマルチメータなどの電圧計４は励磁電流や４−２０ｍＡ電流出力の測定で使用されるものであり、校正作業では以前から使用されている計測機器である。したがって、電圧計４を校正作業のために改めて用意する必要はない。
【００３１】
また、本実施の形態では、校正終了後、ＤＡコンバータ２２０の出力を変化させることで、直線性確認のためのテストを実施できる。例えば校正作業者が設定・表示器２３を用いて直線性確認モードに設定すると、疑似流量信号出力手段２２３は、疑似流量信号のデジタル値を直線的に変化させる。これにより、流速算出手段２２４が連続的に算出する流速値を確認すれば、変換器２ａの直線性を確認することができる。
【００３２】
また、校正モード時に出力された疑似流量信号のデジタル値とＡＤコンバータ２２２の出力値とを対応付けて記憶手段２２７で記憶しているので、電子回路（増幅回路２１とＡＤコンバータ２２２とＤＡコンバータ２２０）の特性に変化があるか否かを診断することができる。
【００３３】
具体的には、診断手段２２８は、例えば校正作業者が設定・表示器２３を用いて診断モードに設定すると、記憶手段２２７に記憶されている疑似流量信号のデジタル値を疑似流量信号出力手段２２３から出力させる。このとき、制御手段２２６は、選択回路２６−１，２６−２を制御して降圧回路２５−１，２５−２の出力を選択させる。これにより、上記と同様にＡＤコンバータ２２２の出力値が得られるので、診断手段２２８は、疑似流量信号出力手段２２３に新たに発生させた疑似流量信号のデジタル値に対応する値として記憶手段２２７に記憶されているＡＤコンバータ２２２の出力値と、新たに取得したＡＤコンバータ２２２の出力値とを比較し、新たに取得したＡＤコンバータ２２２の出力値が、記憶手段２２７に記憶されているＡＤコンバータ２２２の出力値を中心とする所定の誤差範囲から外れているときに、電子回路の特性が変化したと判定し、新たに取得したＡＤコンバータ２２２の出力値が記憶手段２２７に記憶されているＡＤコンバータ２２２の出力値を中心とする所定の誤差範囲内であれば、電子回路の特性に変化がないと判定する。
【００３４】
また、本実施の形態では、変換器単体で任意の波形の疑似流量信号が生成できるので、電子回路の動作テストやソフトウェアの動作テストを変換器単体で容易に行うことができる。
【産業上の利用可能性】
【００３５】
本発明は、電磁流量計の変換器を校正する技術に適用することができる。
【符号の説明】
【００３６】
１…検出器、２ａ…変換器、４…電圧計、１０…励磁コイル、１１…測定管、２０…励磁回路、２１…増幅回路、２２…ＣＰＵ、２３…設定・表示器、２４…反転コンバータ、２５−１，２５−２…降圧回路、２６−１，２６−２…選択回路、２２０…ＤＡコンバータ、２２２…ＡＤコンバータ、２２３…疑似流量信号出力手段、２２４…流速算出手段、２２５…校正手段、２２６…制御手段、２２７…記憶手段、２２８…診断手段。
【図１】
0006270690.tif 000002
【図２】
0006270690.tif 000003
【図３】
0006270690.tif 000004
【図４】
0006270690.tif 000005
【図５】
0006270690.tif 000006
【図６】
0006270690.tif 000007